(57)【要約】【課題】環境リスクが低く、均一な面状光を出射する照明装置を提供する。【解決手段】照明装置１では、ＬＥＤ１１と、導光体１２とを少なくとも有する光源ユニット１０が一方向に複数配列されている。導光体１２はＬＥＤ１１からの光を光入射側面１２ａから受光して主面１２ｂからその光を出射する。導光体１２は光入射側面１２ａを基端とする楔状に形成されている。複数の光源ユニット１０は導光体１２の基端部Ｋと先端部Ｓとが交互となるように配列されている。【選択図】図１
2006108045.tif 000002
【特許請求の範囲】
【請求項１】
発光素子と導光体とを少なくとも有する光源ユニットが一方向に複数配列された照明装置であって、
前記導光体は前記発光素子からの光を光入射側面から受光して主面から該光を出射し、
前記導光体は前記光入射側面を基端とする楔状に形成され、
複数の前記光源ユニットは前記導光体の基端部と先端部とが交互となるように配列されている照明装置。
【請求項２】
請求項１に記載された照明装置において、
互いに隣接する前記光源ユニットの間には間隙が形成されている照明装置。
【請求項３】
請求項２に記載された照明装置において、
前記間隙には光反射層が設けられている照明装置。
【請求項４】
請求項３に記載された照明装置において、
前期光反射層は前記導光体よりも低い屈折率を有する照明装置。
【請求項５】
請求項１に記載された照明装置において、
前記光を出射する前記導光体の前記上面にはブレーズが形成されている照明装置。
【請求項６】
請求項１に記載された照明装置において、
楔状の前記導光体は基端側から先端側に向かって互いに近接する一対の光反射側面を有し、
前記一対の光反射側面は前記上面から下面に向かって互いに近接している照明装置。
【請求項７】
請求項１に記載された照明装置において、
前記導光体の前記下面側に設けられた固定基板をさらに有し、
複数の前記光源ユニットは前記固定基板に固定されている照明装置。
【請求項８】
請求項７に記載された照明装置において、
前記固定基板の前記光源ユニット側表面は光反射性を有する照明装置。
【請求項９】
請求項１に記載された照明装置において、
前記発光素子は発光ダイオードである照明装置。
【請求項１０】
請求項１に記載された照明装置において、
複数の前記光源ユニットから選ばれた少なくとも２つの光源ユニットは相互に異なる色の光を出射する照明装置。
【請求項１１】
請求項１０に記載された照明装置において、
前記少なくとも２つの光源ユニットに設けられた前記発光素子は印加される電流密度が相互に異なる照明装置。
【請求項１２】
請求項１に記載された照明装置において、
前記光源ユニットの前記上面を覆う散乱板をさらに有し、
前記散乱板は前記光源ユニットから出射される光を拡散透過する照明装置。
【発明の詳細な説明】
【技術分野】
【０００１】
本発明は照明装置に関するものである。
【背景技術】
【０００２】
従来、液晶表示装置には冷陰極管を用いた面状照明装置が一般的に用いられている。
【０００３】
図１３は従来の冷陰極管を用いた面状照明装置３００を備えた液晶表示装置４の構成を説明するための概略斜視図である。
【０００４】
この液晶表示装置４は、面状照明装置３００と、液晶表示パネル３４０とを備えている。面状照明装置３００は相互に並行に設けられた複数の冷陰極管３２０を備えている。冷陰極管３２０の背面（図１３で下側）には反射板３１０を備えている。冷陰極管３２０を挟んで反射板３１０と対向するように散乱板３３０が設けられている。冷陰極管３２０には水銀蒸気とアルゴンガスが封入されている。
【０００５】
この冷陰極管３２０に封入されている水銀は人体及び環境に有害な物質であり、近年、環境保全の観点からその使用が制限されつつある。そのような潮流のもと、水銀等の有害物質を実質的に含まず、環境リスクの低い面状照明装置の研究開発が盛んに行われている。
【０００６】
水銀等の有害物質を実質的に含まない面状照明装置として、例えば特許文献１には発光ダイオード（以下、「ＬＥＤ」とする。）を用いたバックライトユニット（面状照明装置）が開示されている。
【０００７】
図１４は特許文献１に記載されたバックライトユニット５の概略斜視図である。
【０００８】
このバックライトユニット５は、導光体４１０と、導光体４１０の側面に設けられた３つのＬＥＤ４２０（点光源）とを備えている。導光体４１０の下面にはＬＥＤ４２０から出射された光を出射面４１０ａに放出するためのホログラムパターン４３０が形成されている。
【特許文献１】特開２００４−２１３０２５号公報
【発明の開示】
【発明が解決しようとする課題】
【０００９】
点光源であるＬＥＤ４２０から出射された光はそれぞれ導光体４１０の内部に放射状に広がるため、３つのＬＥＤ４２０から出射された光は相互に干渉する。導光体４１０のうち複数のＬＥＤ４２０からの出射光が干渉する部分ｃにはより多くの光が供給されるため、他の部分（例えば図１４の部分ｂ）より明るくなる。一方、導光体４１０のＬＥＤ４２０が設けられた側面近傍に位置する部分ａにはＬＥＤ４２０からの光があまり届かないため、他の部分（例えば図１４の部分ｂ）より暗くなる。また、ＬＥＤ４２０から出射された光の一部は導光体４１０を透過していく際に導光体４１０により吸収される。そのため、出射面４１０ａのうちＬＥＤ４２０から離れた部分ＩＩがＬＥＤ４２０近傍部分Ｉよりも暗くなる。このように、バックライトユニット５から出射される面状光には斑があり、均一な面状光が得られないという問題がある。
【００１０】
本発明は、係る点に鑑みてなされたものであり、その第１の目的は環境リスクが低い照明装置を実現することにある。第２の目的は均一な面状光を出射する照明装置を実現することにある。
【課題を解決するための手段】
【００１１】
本発明に係る照明装置では、発光素子と導光体とを少なくとも有する光源ユニットが一方向に複数配列されている。前記導光体は前記発光素子からの光を光入射側面から受光して主面から該光を出射する。前記導光体は前記光入射側面を基端とする楔状に形成されている。複数の前記光源ユニットは前記導光体の基端部と先端部とが交互となるように配列されている。
【００１２】
本発明に係る照明装置では導光体が光入射側面を基端とする楔状に形成されている。言い換えれば、導光体の基端側から先端側に向かって互いに近接する一対の光反射側面と光入射側面とにより構成される角は鋭角であるので、発光素子から出射された光の光反射側面への入射角度は大きい。そのため、発光素子から出射された光の光反射側面による反射率は高い。従って、複数配列された発光素子から導光体に入射した光のほとんどは導光体の上面から出射し、光源ユニットのそれぞれに設けられた発光素子の光が互いに干渉することを効果的に抑制することができる。
【００１３】
複数の光源ユニットは導光体の基端部と先端部とが交互となるように配列されている。この構成によれば発光素子から近く輝度が大きい基端部と発光素子から遠く輝度が小さい先端部とが交互に並ぶ。発光素子から近く輝度が大きい基端部と発光素子から遠く輝度が小さい先端部とから出射された光は互いに干渉するため、本発明に係る照明装置は全体的に輝度ばらつきが少ない。以上より、本発明に係る照明装置によれば均一な面状光が得られる。
【００１４】
また、本発明に係る照明装置では光源ユニットが光反射側面を対向させて複数配列されている。このため、配列する光源ユニットの数量を適宜調整することによって、容易に照明装置の寸法を調整することができる。
【００１５】
また、本発明に係る照明装置は水銀を含む陰極管等を有さないので、環境リスクが低い。
【００１６】
本発明に係る照明装置では互いに隣接する前記光源ユニットの間には間隙が形成されていても構わない。言い換えれば、互いに隣接する導光体の間に空気層が介在してもよい。導光体と空気層とは屈折率が大きく異なる。そのため、導光体と空気層との界面における光反射率が高く、発光素子から出射された光が導光体から空気層に出射する率がさらに低減される。従って、この構成によれば、複数配列された光源ユニットの各々の光が互いに干渉することを効果的に抑制できるので、より均一な面状光が得られる。また、前記間隙には光反射層が設けられていてもよい。また、前記光反射層は前記導光体よりも低い屈折率を有していてもよい。
【００１７】
本発明に係る照明装置は前記光を出射する前記導光体の上面にブレーズ（ブレーズパターン）が形成されていても構わない。ここで、ブレーズとは発光素子からの光の出射方向に角度をなして相互に並行に刻まれた複数の微細な溝のことをいう。ブレーズは発光素子からの光が入射する角度が小さくなるように形成されている。そのため、発光素子から出射された光のブレーズが形成された上面における反射率が小さい。従って、この構成によれば発光素子からの光が導光体から出射される率を高くすることができるので、より高輝度且つ低消費電力を実現することができる。また、上面のうち発光素子から近い部分のブレーズの形状と発光素子から遠い部分のブレーズの形状とを異ならしめても構わない。
【００１８】
本発明に係る照明装置では楔状の前記導光体が基端側から先端側に向かって互いに近接する一対の光反射側面を有し、前記一対の光反射側面は前記上面から下面に向かって互いに近接していても構わない。この構成によれば発光素子から出射された光の光反射側面への入射角度がより大きくなる。そのため、発光素子からの出射光は光反射側面に、より高い率で反射される。従って、複数配列された光源ユニットのそれぞれに設けられた発光素子の光が互いに干渉することをより効果的に抑制することができるので、より均一な面状光が得られる。
【００１９】
本発明に係る照明装置は前記上面と対向する下面側に設けられた固定基板をさらに有すし、複数の前記光源ユニットは前記固定基板に固定されていても構わない。また、前記固定基板の前記光源ユニット側表面は光反射性を有していても構わない。この構成によれば導光体の下面から光が漏れることを効果的に防止することができる。従って、発光素子から出射した光の利用効率を高くすることができるので、高い輝度及び低い消費電力を実現することができる。
【００２０】
本発明に係る照明装置では前記発光素子は発光ダイオードであっても構わない。発光ダイオードは冷陰極管等と異なり、実質的に水銀等の環境有害物質を含有しないので、環境リスクを低くすることができる。また、発光ダイオードは寿命が長く、消費電力が小さい。そのため、この構成によれば長い製品寿命及び低い消費電力を実現することができる。
【００２１】
本発明に係る照明装置は複数の前記光源ユニットから選ばれた少なくとも２つの光源ユニットが相互に異なる色の光を出射するものであっても構わない。また、前記少なくとも２つの光源ユニットに設けられた前記発光素子は印加される電流密度が相互に異なっていても構わない。この構成によれば発光素子に印加される電流密度を適宜調整することにより照明装置から出射される光の色調を調整することができる。
【００２２】
本発明に係る照明装置は前記光源ユニットの前記上面を覆う散乱板をさらに有し、前記散乱板が前記光源ユニットから出射される光を拡散透過するものであっても構わない。この構成によれば複数の光源ユニットのそれぞれに設けられた導光体から出射する光は拡散板により拡散されるので、より均一な光が得られる。また、光源ユニットから選ばれた少なくとも２つの光源ユニットが相互に異なる色の光を出射するものである場合は、複数色の出射光が拡散板により拡散、混合されるので、均一な色調の光を出射することができる。
【発明の効果】
【００２３】
以上説明したように、本発明に係る照明装置は環境リスクが低い。また、本発明に係る照明装置は均一な面状光を出射することができる。
【発明を実施するための最良の形態】
【００２４】
以下、本発明の実施形態を図面を参照しながら詳細に説明する。
【００２５】
（実施形態１）図１は実施形態１に係る面状照明装置１の上面１２ｂ側から見た概略正面図である。尚、図１には説明の便宜上、散乱板３０は描画していない。
【００２６】
図２は面状照明装置１の概略側面図である。
【００２７】
面状照明装置１では複数の光源ユニット１０がＸ方向に一列に配列されている。配列された複数の光源ユニット１０の間のそれぞれには間隙が形成されており、間隙のそれぞれには光反射層２０が設けられている。複数の光源ユニット１０のそれぞれは、ＬＥＤ１１と、光入射側面１２ａを基端としてＹ方向に延びる楔形の導光体１２とを有する。複数の導光体１２の基端部と先端部とは一方面において交互になっている。具体的には、隣接する導光体１２の先端部と基端部とが面状照明装置１の一方面側にある。また、図２に示すように、導光体１２の上面１２ｂ側には散乱板３０が設けられ、導光体１２の下面側には固定基板４０が設けられている。
【００２８】
図３は光源ユニット１０の概略斜視図である。
【００２９】
図４は光源ユニット１０の上面１２ｂ側から見た概略正面図である。
【００３０】
図５は光源ユニット１０の光入射側面１２ａ側から見た概略側面図である。
【００３１】
導光体１２は、ＬＥＤ１１が設けられた光入射側面１２ａを基端とする楔状であり、基端側から先端側に向かって互いに近接する一対の光反射側面１２ｄを有する。詳細には、光入射側面１２ａは矩形に形成され、上面１２ｂ及び下面１２ｃは鋭角２等辺三角形に形成されている。上面１２ｂの底角は６０度以上且つ９０度未満であることが好ましい。上面１２ｂと下面１２ｃとは合同であることが好ましい。上面１２ｂと下面１２ｃとは平行である。光反射側面１２ｄは矩形であり、一対の光反射側面１２ｄは先端部において接している。また、図１に示すように隣接する導光体１２の光反射側面１２ｄ同士は対向している。尚、上面１２ｂと下面１２ｃとは台形に形成されていてもよい。
【００３２】
この面状照明装置１ではＬＥＤ１１から出射された光が光入射側面１２ａから導光体１２に入射する。入射光は導光体１２内で導光され上面１２ｂから出射される。上面１２ｂから出射された光は散乱板３０によってさらに散乱され均一な面状光として面状照明装置１から出射する。
【００３３】
図３に示すように、複数の光源ユニット１０の各々はＬＥＤ１１を有している。導光体１２は光入射側面１２ｄを基端とする楔状に形成されている。言い換えれば、光入射側面１２ａと光反射側面１２ｄとは鋭角を形成しているので、ＬＥＤ１１から出射された光の光反射側面１２ｄへの入射角は大きい。光反射側面１２ｄへの入射角が大きいほど光反射側面１２ｄにおける反射率が高くなる。そのため、ＬＥＤ１１から導光体１２に入射した光の多くは上面１２ｂから出射され、光反射側面１２ｄからはほとんど出射されない。従って隣接する光源ユニット１０間でＬＥＤ１１からの光が相互に干渉することを効果的に抑制することができる。
【００３４】
ＬＥＤ１１から出射された光の導光体１２の透過率が１００％ではなく、ＬＥＤ１１から出射された光は導光体１２を透過するにともなって、その一部が導光体１２に吸収される。そのため、導光体１２の上面１２ｂのうちＬＥＤ１１から遠い部分（先端部Ｓ）はＬＥＤ１１から近い部分（基端部Ｋ）より輝度が小さくなる。面状照明装置１では導光体１２の比較的輝度の大きな基端部Ｋと比較的輝度の小さな先端部Ｓとが交互となるように配列されている。具体的には、図１に示すように、導光体１２αの基端部Ｋと、これに隣接する導光体１２βの先端部Ｓとが一方面側にある。従って、面状照明装置１では全体的に輝度ばらつきが少ない。例えば、局部的に輝度の大きな部分や輝度の小さな部分がない。また、交互に配列された先端部Ｓから出射された比較的輝度の小さい光と、基端部Ｋから出射された比較的輝度の大きい光とは散乱板３０によって拡散、混合される。そのため、面状照明装置１によれば輝度ムラがなく、均一な光を得ることができる。
【００３５】
この面状照明装置１では配列する光源ユニット１０の数量が限定されない。配列する光源ユニット１０の数量に関わらず上述の効果が得られるので、この面状照明装置１では均一な面状光が得られる。従って、配列する光源ユニット１０の数量を適宜調整することによって容易に面状照明装置１の大きさ（図１でＸ方向の長さ）を容易に調整することができる。面状照明装置１のＸ方向の大きさの調整に際して、光源ユニット１０自体の設計を変更する必要はない。
【００３６】
面状照明装置１は相互に隣接する光源ユニット１０の間隙に設けられた光反射層２０を有する。光反射層２０は隣接する導光体１２の双方に密着している。光反射層２０は導光体１２よりも屈折率の低い材料で形成されており、導光体１２と光反射層２０とは屈折率が大きく異なる。そのため、光反射層２０と隣接する導光体１２との界面における光反射率は高く、ＬＥＤ１１から出射された光が導光体１２から光反射層２０へ出射することを効果的に抑制することができる。従って、複数配列された光源ユニット１０のそれぞれに設けられたＬＥＤ１１の光が互いに干渉することを効果的に抑制することができるので、より均一な面状光が得られる。
【００３７】
本実施形態１では光反射層２０は導光体１２よりも低い屈折率を有する材料により形成されているが、本発明はこれに限定されるものではない。例えば、光を反射する金属材料により形成されていても構わない。また、本実施形態１では相互に隣接する光源ユニット１０の間隙に光反射層２０が設けられているが、本発明はこれに限定されるものではない。例えば相互に隣接する光源ユニット１０の間隙に空気層が介在していても構わない。
【００３８】
導光体１２の上面１２ｂにはＬＥＤ１１からの光が上面１２ｂへ入射する角度が小さくなるようにブレーズ１３が形成されている。そのため、ＬＥＤ１１から出射された光のブレーズ１３が形成された上面１２ｂにおける反射率が小さい。従って、ＬＥＤ１１から出射された光の上面１２ｂからの出射率を高くすることができるので、より高い輝度及び低い消費電力を実現することができる。また、上面１２ｂのうちＬＥＤ１１から近い部分のブレーズとＬＥＤ１１から遠い部分のブレーズを異ならしめても構わない。例えば、上面１２ｂのうちＬＥＤ１１から近い部分にはピッチの長いブレーズが形成され、遠い部分にはピッチの短いブレーズが形成されていても構わない。これにより、上面１２ｂのうちＬＥＤ１１から近い部分の光反射率をＬＥＤ１１から遠い部分の光反射率よりも低くすることができるので、輝度ムラをより低減することができる。
【００３９】
固定基板４０には複数の導光体１２の下面１２ｃが固定されている。固定基板４０の導光体側表面４０ａは光反射性を有する。このため、導光体の下面１２ｃから光が漏れることを効果的に抑制することができる。従って、ＬＥＤ１１から出射した光の利用効率を高くすることができるので、高い輝度及び低い消費電力を実現することができる。導光体１２を固定基板４０に固定する方法としては、例えば導光体１２と固定基板４０とを両面テープにより接着固定する方法が挙げられる。
【００４０】
発光素子としてのＬＥＤ１１は実質的に水銀等の環境有害物質を含有しない。そのため、環境リスクを低くすることができる。また、ＬＥＤ１１は消費電力が小さく、長い寿命を有する。そのため、消費電力が小さく、長い製品寿命を有する面状照明装置１を実現することができる。本実施形態１では発光素子としてＬＥＤを用いているが、本発明は何らこの構成に限定されるものではない。例えば、発光素子として有機エレクトロルミネッセンス素子、無機エレクトロルミネッセンス素子等を用いても構わない。また、本実施形態１では発光素子として１つのＬＥＤ１１が設けられているが、光源ユニット１０は２つ以上のＬＥＤを有していても構わない。個々の光源ユニット１０の発光輝度を高めることができるので、高輝度な面状照明装置１を実現することができる。
【００４１】
次に、面状照明装置１を構成する各部材の材料について説明する。尚、下記の部材の材料は単なる例示であって、本発明は何らこれらに限定されるものではない。ＬＥＤ１１の材料としてはＧａＰ、ＧａＡｓＰ、ＧａＡｌＡｓ、ＩｎＧａＡｌＰ、ＧａＮ、ＺｎＳｅ、ＺｎＴｅ、ＺｎＳ、及びＳｉＣ等が挙げられる。これらの材料を混合して用いても構わない。導光体１２の材料としてはアクリル、ポリメチルメタクリレート（ＰＭＭＡ）、アモルファスポリオレフィン、ポリカーボネート等が挙げられる。光反射層２０の材料としては、アルミニウム（Ａｌ）、銀（Ａｇ）等の金属材料、      等の低屈折率樹脂等が挙げられる。散乱板３０はポリカーボネートやポリエステルの基材フィルムに、透明ビーズを混入した樹脂がコートされたシート等により構成することができる。固定基板４０はガラス基板等に、スパッタ法等を用いてアルミニウム（Ａｌ）、銀（Ａｇ）等をコーティングした基板等により構成することができる。
【００４２】
図６は面状照明装置１を備えた液晶表示装置の概略側面図である。
【００４３】
この液晶表示装置は、面状照明装置１と、液晶表示パネル５０とを有する。液晶表示パネル５０は２枚の偏光板５１、５２により挟持されている。上述の通り面状照明装置１は均一な面状光を出射することができる。従って、液晶表示パネル５０には均一な面状光が入射するので、この液晶表示装置は均一で斑のない画像表示が可能である。
【００４４】
（実施形態２）図７は実施形態２に係る面状照明装置２の光出射面側から見た概略正面図である。
【００４５】
図８は面状照明装置２の概略側面図である。
【００４６】
面状照明装置２では複数の光源ユニット１１０がＸ方向に一列に配列されている。配列された複数の光源ユニット１１０の間のそれぞれには間隙が形成されており、間隙のそれぞれには光反射層１２０が設けられている。複数の光源ユニット１１０のそれぞれはＬＥＤ１１１と、光入射側面１２ａを基端としてＹ方向に長い楔形の導光体１１２とを有する。複数の導光体１１２の基端部と先端部とは交互になっている。具体的には、隣接する導光体１２の先端部と基端部とが面状照明装置２の一方面側にある。また、図８に示すように、導光体１１２の上側には散乱板１３０が設けられ、導光体１１２の下側には固定基板１４０が設けられている。複数配列された光源ユニット１１０の個々の構成及び形状は実施形態１に係る光源ユニット１０と同様である。複数配列された光源ユニット１１０はＲ（赤）の光を出射するＬＥＤ１１１Ｒを備えた光源ユニット１１０Ｒと、Ｇ（緑）の光を出射するＬＥＤ１１１Ｇを備えた光源ユニット１１０Ｇと、Ｂ（青）の光を出射するＬＥＤ１１１Ｂを備えた光源ユニット１１０Ｂとに分けられる。光源ユニット１１０Ｒ、１１０Ｇ、及び１１０Ｂはこの順番で配列されている。ここでは実施形態１に係る面状照明装置１と異なる点、具体的には光源ユニット１１０Ｒ、１１０Ｇ、及び１１０Ｂについて詳細に説明する。
【００４７】
この面状照明装置２では光源ユニット１１０Ｒ、１１０Ｇ、及び１１０Ｂから出射されたＲ（赤）、Ｇ（緑）、及びＢ（青）の光は散乱板１３０により拡散、混合され均一な色調の面状光として出射される。面状照明装置２から出射される光の色調は光源ユニット１１０Ｒ、１１０Ｇ、及び１１０Ｂのそれぞれから出射される光の強度によって決まる。例えば、ＬＥＤ１１１Ｒから出射される光の強度を強くすることにより光源ユニット１１０Ｒから出射されるＲの光の強度を強くした場合は、より赤みがかった色調の出射光が得られる。ＬＥＤ１１１から出射される光は印加される電流密度が大きくなるに従って強くなる。従って、ＬＥＤ１１１Ｒ、１１１Ｇ、及び１１１Ｂに印加される電流密度を調整することによって面状照明装置２から出射される光の色調を調整することができる。この色調の調整方法によればＬＥＤ１１１の色調を変更することなく、面状照明装置２から出射される光の色調を容易に調整することができる。
【００４８】
本実施形態２では面状照明装置２を３種の光源ユニット１１０により構成したが本発明はこれに限定されるものではない。例えば、面状照明装置２を４種以上の光源ユニット１１０により構成しても構わない。
【００４９】
（実施形態３）図９は実施形態３に係る面状照明装置３の概略側面図である。
【００５０】
面状照明装置３では複数の光源ユニット２１０が一方向に配列されている。配列された複数の光源ユニット２１０の間のそれぞれには間隙２２０が形成されている。複数の光源ユニット２１０のそれぞれはＬＥＤ２１１と楔形の導光体２１２とを有する。複数の導光体２１２の基端部と先端部とは交互になっている。具体的には、隣接する導光体２１２の先端部と基端部とが面状照明装置３の一方面側にある。導光体２１２の上側には散乱板２３０が、導光体２１２の下側には固定基板２４０がそれぞれ設けられている。
【００５１】
図１０は光源ユニット２１０の概略斜視図である。
【００５２】
図１１は光源ユニット２１０の光入射側面２１２ａ側から見た概略側面図である。
【００５３】
導光体２１２はＬＥＤ２１１が設けられた光入射側面２１２ａを基端とする楔状であり、基端側から先端側に向かって互いに近接する一対の光反射側面２１２ｄを有する。一対の光反射側面２１２ｄは上面２１２ｂから下面２１２ｃに向かって互いに近接している。詳細には、光入射側面２１２ａは捩れ四辺形に形成されている。上面２１２ｂ及び下面２１２ｃは鋭角２等辺三角形に形成されている。上面２１２ｂの頂角の角度は下面２１２ｃの頂角の角度より大きい。上面２１２ｂの底角は６０度以上且つ９０度未満であることが好ましい。上面２１２ｂと下面２１２ｃとは台形に形成されていてもよい。この場合、上面２１２ｂの底辺の長さは下面２１２ｃの底辺の長さよりも長くなる。上面２１２ｂと下面２１２ｃとは相似形であることが好ましい。下面２１２ｃがなく、一対の光反射面２１２ｄが接していてもよい。この場合光入射側面２１２ａは三角形となる。隣接する導光体１２の光反射側面２１２ｄ同士は対向している。
【００５４】
面状照明装置３では導光体２１２が光入射側面２１２ａを基端とする楔状に形成されおり、且つ一対の光反射側面２１２ｄは上面２１２ｂから下面２１２ｃに向かって互いに近接している。言い換えれば、光入射側面２１２ａと光反射側面２１２ｄとがなす角度が鋭角であり、且つ下面２１２ｃと光反射側面２１２ｄとがなす角度が鈍角である。そのため、本実施形態３に係る光源ユニット２１０は実施形態１に係る光源ユニット１０と比べて光源２１１から出射された光の光反射側面２１２ｄへの入射角がより大きく、ＬＥＤ２１１からの出射光の光反射側面２１２ｄにおける反射率がさらに大きい。従って、ＬＥＤ２１１からの光が光反射側面２１２ｄから出射することをより効果的に防止することができ、ＬＥＤ２１１の光が相互に干渉し合うことをより効果的に防止することができる。以上より、面状照明装置３によればより均一な面状光を得ることができる。
【００５５】
また、一対の光反射側面２１２ｄは上面２１２ｂから下面２１２ｃに向かって互いに近接しており、図１１に示すように、導光体２１２の間には導光体２１２と屈折率が大きく異なる空気層が介在する。そのため、導光体２１２と空気層との界面における光反射率が高く、ＬＥＤ２１１から出射された光が導光体２１２から空気層に出射する率をさらに低減することができる。従って、この面状照明装置３では複数配列された光源ユニット２１０の各々の光が互いに干渉することを効果的に防止することができるので、より均一な面状光が得られる。
【００５６】
図１２は面状照明装置３を備えた液晶表示装置の概略側面図である。
【００５７】
この液晶表示装置は、面状照明装置３と、液晶表示パネル２５０とを備えている。液晶表示パネル２５０は偏光板２５１及び２５２により挟持されている。上述の通り、面状照明装置３は均一な面状光を出射することができる。そのため、面状照明装置３の上に設けられた液晶表示パネル２５０には均一な面状光が入射する。従って、この液晶表示装置は輝度斑がなく均一な画像を表示することができる。
【産業上の利用可能性】
【００５８】
以上説明したように、本発明に係る照明装置は、環境リスクが低く、均一な面状光を出射することができる。そのため、液晶表示装置のバックライト等として有用である。
【図面の簡単な説明】
【００５９】
【図１】実施形態１に係る面状照明装置１の上面１２ｂ側から見た概略正面図である。
【図２】面状照明装置１の概略側面図である。
【図３】光源ユニット１０の概略斜視図である。
【図４】光源ユニット１０の上面１２ｂ側から見た概略正面図である。
【図５】光源ユニット１０の光入射側面１２ａ側から見た概略側面図である。
【図６】面状照明装置１を備えた液晶表示装置の概略側面図である。
【図７】実施形態２に係る面状照明装置２の光出射面側から見た概略正面図である。
【図８】面状照明装置２の概略側面図である。
【図９】実施形態３に係る面状照明装置３が有する光源ユニット２１０の概略斜視図である。
【図１０】光源ユニット２１０の光入射側面２１２ａ側から見た概略側面図である。
【図１１】面状照明装置３の概略側面図である。
【図１２】面状照明装置３を備えた液晶表示装置の概略側面図である。
【図１３】従来の冷陰極管を用いた面状照明装置の構成を説明するための概略斜視図である。
【図１４】特許文献１に記載されたバックライトユニット５の概略斜視図である。
【符号の説明】
【００６０】
１、２、３、３００      面状照明装置
４      液晶表示装置
５      バックライトユニット
１０、１１０、２１０      光源ユニット
１１、１１１、２１１、４２０      ＬＥＤ
１２、１１２、２１２、４１０      導光体
１３、１１３、２１３      ブレーズ
２０、１２０      光反射層
３０、１３０、２３０、３３０      散乱板
４０、１４０、２４０      固定基板
５０、２５０、３４０      液晶表示パネル
５１、５２、２５１、２５２      偏光板
３１０      反射板
３２０      冷陰極管
４３０      ホログラムパターン
【図１】
2006108045.tif 000003
【図２】
2006108045.tif 000004
【図３】
2006108045.tif 000005
【図４】
2006108045.tif 000006
【図５】
2006108045.tif 000007
【図６】
2006108045.tif 000008
【図７】
2006108045.tif 000009
【図８】
2006108045.tif 000010
【図９】
2006108045.tif 000011
【図１０】
2006108045.tif 000012
【図１１】
2006108045.tif 000013
【図１２】
2006108045.tif 000014
【図１３】
2006108045.tif 000015
【図１４】
2006108045.tif 000016